(57)【要約】【課題】第１ユニットに第２ユニットが着脱可能に取り付けられ、第１ユニットと第２ユニットとは有線又は無線による一方向又は双方向の通信が可能である電子機器において、その使用の不便さを低減する。【解決手段】本発明に係る電子機器においては、第１ユニット１と第２ユニット２はそれぞれ、第２ユニット２が第１ユニット１に取り付けられた状態で互いに対向する対向部10，20を有し、第２ユニット２の対向部20には、第２ユニット２を第１ユニット１から取り外した状態で一定の位置に設置するための補助具３が配備される一方、第１ユニット１の対向部10には、第２ユニット２が第１ユニット１に取り付けられた状態で補助具３が収容される収容部４が設けられている。【選択図】図４
2011228995.tif 000002
【特許請求の範囲】
【請求項１】
第１ユニットと、第１ユニットに着脱可能に取り付けられる第２ユニットとを具え、第１ユニットと第２ユニットとは有線又は無線による一方向又は双方向の通信が可能である電子機器において、
第１ユニットと第２ユニットはそれぞれ、第２ユニットが第１ユニットに取り付けられた状態で互いに対向する対向部を有し、第２ユニットの対向部には、第２ユニットを第１ユニットから取り外した状態で一定の位置に設置するための補助具が配備される一方、第１ユニットの対向部には、第２ユニットが第１ユニットに取り付けられた状態で前記補助具が収容される収容部が設けられていることを特徴とする電子機器。
【請求項２】
前記補助具は、第２ユニットを第１ユニットから取り外した状態で一定の位置に留めるための留め具である請求項１に記載の電子機器。
【請求項３】
前記補助具は、第２ユニットを第１ユニットから取り外した状態で一定の位置に載置するためのスタンドである請求項１に記載の電子機器。
【請求項４】
前記スタンドは、前記第２ユニットの対向部の表面の内、第２ユニットが第１ユニットに取り付けられた状態で第１ユニットの対向部と対向する対向面に、該対向面に対して略垂直な枢軸により枢支されると共に、前記第２ユニットの対向面に沿って該対向面の短手方向の長さ寸法よりも長く延びている請求項３に記載の電子機器。
【請求項５】
第２ユニットには、マイクロフォン及び／又はカメラと、該マイクロフォン及び／又はカメラにより取得される情報を第１ユニットに送信する送信部とが配備される一方、第１ユニットには、第２ユニットの送信部から送信された情報を受信する受信部と、該受信部により受信された情報を記録する記録媒体とが配備されている請求項１乃至請求項４の何れかに記載の電子機器。
【発明の詳細な説明】
【技術分野】
【０００１】
本発明は、互いに着脱可能に連結された複数のユニットから構成される電子機器に関する。
【背景技術】
【０００２】
従来、この種の電子機器として、表示ユニットの端部にマイクロフォンユニットが着脱可能に取り付けられた携帯端末装置が提案されている（特許文献１参照）。該携帯端末装置においては、表示ユニットにマイクロフォンユニットが取り付けられた状態で、表示ユニットとマイクロフォンユニットとがコネクタによって互いに電気的に接続され、これにより表示ユニットとマイクロフォンユニットとは一方向又は双方向の通信が可能となる。一方、表示ユニットからマイクロフォンユニットが取り外された状態では、表示ユニットとマイクロフォンユニットとが、携帯端末装置とは別に用意された通信線により互いに電気的に接続され、これにより表示ユニットとマイクロフォンユニットとは一方向又は双方向の通信が可能となる。
【先行技術文献】
【特許文献】
【０００３】
【特許文献１】特開平１０−３１３４５２号公報
【発明の概要】
【発明が解決しようとする課題】
【０００４】
しかしながら、上記携帯端末装置において、例えば衣類や身装品等の一定の位置にマイクロフォンユニットを留めて使用するためには、該マイクロフォンユニットに、携帯端末装置とは別に用意されたクリップ等の留め具を取り付ける必要がある。このため、上記携帯端末装置を携帯する場合、該携帯端末装置とは別に留め具を携帯する必要があり、携帯端末装置の使用に不便さがあった。
【０００５】
そこで本発明の目的は、第１ユニットに第２ユニットが着脱可能に取り付けられ、第１ユニットと第２ユニットとは有線又は無線による一方向又は双方向の通信が可能である電子機器において、その使用の不便さを低減することである。
【課題を解決するための手段】
【０００６】
本発明に係る電子機器は第１ユニットと、第１ユニットに着脱可能に取り付けられる第２ユニットとを具え、第１ユニットと第２ユニットとは有線又は無線による一方向又は双方向の通信が可能である。ここで、第１ユニットと第２ユニットはそれぞれ、第２ユニットが第１ユニットに取り付けられた状態で互いに対向する対向部を有し、第２ユニットの対向部には、第２ユニットを第１ユニットから取り外した状態で一定の位置に設置するための補助具が配備される一方、第１ユニットの対向部には、第２ユニットが第１ユニットに取り付けられた状態で前記補助具が収容される収容部が設けられている。
【０００７】
上記電子機器においては、第２ユニットを第１ユニットから取り外した状態で一定の位置に設置することにより、該一定の位置から離れた位置からでも、第１ユニットと第２ユニットとの間で情報の通信を行うことが出来る。
【０００８】
一方、第２ユニットが第１ユニットに取り付けられた状態では、第１ユニットの収容部に補助具が収容され、このため電子機器の外周面からは補助具が突出することがない。
【０００９】
更に、上記電子機器においては、第２ユニットの対向部に補助具が配備されているので、第２ユニットを第１ユニットから取り外した状態で一定の位置に設置する際に、電子機器とは別の部品を用意する必要がない。従って、上記電子機器によれば、その使用の不便さが低減されることになる。
【００１０】
上記電子機器の具体的構成において、前記補助具は、第２ユニットを第１ユニットから取り外した状態で一定の位置に留めるための留め具である。ここで、一定の位置は、例えば衣類や身装品等、第２ユニットを留め具によって留めることが可能な位置である。
【００１１】
上記電子機器の他の具体的構成において、前記補助具は、第２ユニットを第１ユニットから取り外した状態で一定の位置に載置するためのスタンドである。ここで、一定の位置は、例えば机上等、第２ユニットをスタンドによって載置することが可能な位置である。
【００１２】
より具体的な構成において、前記スタンドは、前記第２ユニットの対向部の表面の内、第２ユニットが第１ユニットに取り付けられた状態で第１ユニットの対向部と対向する対向面に、該対向面に対して略垂直な枢軸により枢支されると共に、前記第２ユニットの対向面に沿って該対向面の短手方向の長さ寸法よりも長く延びている。この構成によれば、スタンドを回動させてスタンドの延在方向を第２ユニットの対向面の短手方向に向け、その状態で第２ユニットを一定の位置に載置することにより、第２ユニットは、その対向面の短手方向に倒れ難くなり、その結果、第２ユニットの載置状態が安定することになる。
【００１３】
上記電子機器の更なる他の具体的構成において、第２ユニットには、マイクロフォン及び／又はカメラと、該マイクロフォン及び／又はカメラにより取得される情報を第１ユニットに送信する送信部とが配備される一方、第１ユニットには、第２ユニットの送信部から送信された情報を受信する受信部と、該受信部により受信された情報を記録する記録媒体とが配備されている。
【００１４】
該具体的構成によれば、第２ユニットを第１ユニットから取り外した状態で一定の位置に設置することにより、前記一定の位置から離れた位置からでも、該一定の位置近傍の音声及び／又は音声を第２ユニットによって鮮明に捉え、該音声及び／又は画像を第１ユニットの記録媒体に記録することが出来る。
【発明の効果】
【００１５】
本発明に係る電子機器によれば、その使用の不便さが低減される。
【図面の簡単な説明】
【００１６】
【図１】図１は、本発明の一実施形態に係る携帯型録音装置を、該録音装置が具える本体ユニットの下端部側から見た斜視図である。
【図２】図２は、該携帯型録音装置を、該録音装置が具えるマイクロフォンユニット側から見た斜視図である。
【図３】図３は、該携帯型録音装置において本体ユニットからマイクロフォンユニットを取り外した状態を、本体ユニットの下端部側から見た斜視図である。
【図４】図４は、該携帯型録音装置において本体ユニットからマイクロフォンユニットを取り外した状態を、マイクロフォンユニット側から見た斜視図である。
【図５】図５は、該携帯型録音装置の前面図である。
【図６】図６は、該携帯型録音装置の使用例を示した斜視図である。
【図７】図７は、該携帯型録音装置の側面図である。
【図８】図８は、図７に示されるＡ−Ａ線に沿う断面図である。
【図９】図９は、上記携帯型録音装置の第１変形例について、本体ユニットからマイクロフォンユニットを取り外した状態を、本体ユニットの下端部側から見た斜視図である。
【図１０】図１０は、マイクロフォンユニットの載置状態を示した斜視図である。
【図１１】図１１は、上記携帯型録音装置の第２変形例を示した斜視図である。
【発明を実施するための形態】
【００１７】
以下、本発明を携帯型録音装置に実施した形態につき、図面に沿って具体的に説明する。
図１〜図４は、本発明の一実施形態に係る携帯型録音装置を示す斜視図であり、図５は、該携帯型録音装置の前面図である。図１〜図５に示す様に、本実施形態の携帯型録音装置は、本体ユニット(１)と、該本体ユニット(１)に着脱可能に取り付けられるマイクロフォンユニット(２)とを具えている。ここで、図１は、携帯型録音装置において本体ユニット(１)にマイクロフォンユニット(２)を取り付けた状態を、本体ユニット(１)の下端部側から見た斜視図であり、図２は、該状態をマイクロフォンユニット(２)側から見た斜視図である。又、図３は、携帯型録音装置において本体ユニット(１)からマイクロフォンユニット(２)を取り外した状態を、本体ユニット(１)の下端部側から見た斜視図であり、図４は、該状態をマイクロフォンユニット(２)側から見た斜視図である。
【００１８】
本体ユニット(１)とマイクロフォンユニット(２)とは、図１及び図２に示す如くマイクロフォンユニット(２)が本体ユニット(１)に取り付けられた状態と、図３及び図４に示す如くマイクロフォンユニット(２)が本体ユニット(１)から取り外された状態の両状態において、近距離通信方式、例えばBluetooth（登録商標）によって、一方向又は双方向の通信を行うことが可能である。
【００１９】
本体ユニット(１)には、マイクロフォンユニット(２)からの音声信号を処理する音声処理回路、処理後の音声信号を記録する記録媒体、通信処理回路、バッテリ等（何れも図示省略）が内蔵されており、本体ユニット(１)の前面には、タッチ入力型表示部(11)が設けられている。ここで、本体ユニット(１)の通信処理回路は、マイクロフォンユニット(２)から送信される音声信号を受信する受信部としての機能と、マイクロフォンユニット(２)へ制御信号を送信する送信部としての機能とを有している。
【００２０】
一方、マイクロフォンユニット(２)には、マイクロフォン、通信処理回路、バッテリ等（何れも図示省略）が内蔵されており、マイクロフォンユニット(２)の上端面に受音部(21)が設けられている。ここで、マイクロフォンユニット(２)の通信処理回路は、本体ユニット(１)からの制御信号を受信する受信部としての機能と、マイクロフォンにより取得される音声信号を本体ユニット(１)に送信する送信部としての機能とを有している。
【００２１】
図３〜図５に示す様に、本体ユニット(１)とマイクロフォンユニット(２)はそれぞれ、該マイクロフォンユニット(２)が本体ユニット(１)に取り付けられた状態で互いに対向する対向部(10)(20)を有している。ここで、本体ユニット(１)の対向部(10)により本体ユニット(１)の上端部が形成され、マイクロフォンユニット(２)の対向部(20)によりマイクロフォンユニット(２)の下端部が形成されている。
【００２２】
図３及び図５に示す様に、マイクロフォンユニット(２)の対向部(20)には留め具(３)が配備されており、図６に示す様に、マイクロフォンユニット(２)を、本体ユニット(１)から取り外した状態で衣服のポケットに留めることが可能である。尚、マイクロフォンユニット(２)は、衣服のポケットに限らず、衣類や身装品等、様々な位置に留めることが可能である。
【００２３】
一方、図４に示す様に、本体ユニット(１)の対向部(10)には収容部(４)が凹設されており、該収容部(４)には、本体ユニット(１)にマイクロフォンユニット(２)を取り付けたときに留め具(３)が収容される。
【００２４】
図７は、上記携帯型録音装置の側面図であり、図８は、図７に示されるＡ−Ａ線に沿う断面図である。図８に示す様に、上記携帯型録音装置には、本体ユニット(１)とマイクロフォンユニット(２)とを着脱可能に連結するための連結機構(５)が設けられている。
【００２５】
具体的には、収容部(４)を構成する底面壁(41)に左右一対の貫通孔(50)(50)が形成され、各貫通孔(50)にはリブ(51)が貫挿されている。ここで、リブ(51)は、本体ユニット(１)を構成する筐体(12)の側面壁（具体的にはその裏面）に形成され、該側面壁から筐体(12)の内側へＬ字状に延びている。そして、リブ(51)は、貫通孔(50)を通過することにより、リブ(51)の先端部(511)を収容部(４)内に突出させている。又、リブ(51)は、その先端部(511)を左右に撓曲させることが可能な構成を有している。一方、各貫通孔(50)は、リブ(51)の先端部(511)の撓曲を妨げることのない形状を有している。
【００２６】
更に、本体ユニット(１)の筐体(12)の側面壁には、ユーザ操作により各リブ(51)に押圧力を加えて撓曲させるための押し子(52)が左右に設けられている。従って、ユーザが各押し子(52)をリブ(51)の弾性反発力に抗して押圧することにより、該リブ(51)は撓曲することになる。一方、ユーザが各押し子(52)の押圧を解除することにより、該押し子(52)はリブ(51)の弾性反発力により元の位置へ押し戻されると共に、リブ(51)は撓曲した状態から解放されることになる。
【００２７】
更に又、各リブ(51)の先端部(511)と留め具(３)とにはそれぞれ、該リブ(51)の撓曲及びその状態からの解放により係脱することが可能な係合部(53)と係合受け部(54)とが設けられている。従って、ユーザが各押し子(52)を押圧してリブ(51)を撓曲させることにより、係合部(53)と係合受け部(54)との係合が解除され、その結果、本体ユニット(１)へのマイクロフォンユニット(２)の着脱が可能となる。一方、本体ユニット(１)にマイクロフォンユニット(２)を取り付けた後、ユーザが各押し子(52)の押圧を解除してリブ(51)を撓曲した状態から解放することにより、係合部(53)が係合受け部(54)に係合し、その結果、本体ユニット(１)がマイクロフォンユニット(２)に連結されることになる。
【００２８】
上記携帯型録音装置においては、マイクロフォンユニット(２)を本体ユニット(１)から取り外した状態で一定の位置に設置することにより、該一定の位置から離れた位置からでも、本体ユニット(１)とマイクロフォンユニット(２)との間で情報（具体的には音声信号や制御信号）の通信を行うことが出来る。従って、一定の位置から離れた位置からでも、該一定の位置近傍の音声をマイクロフォンユニット(２)によって鮮明に捉え、該音声を本体ユニット(１)内の記録媒体に記録することが出来る。
【００２９】
一方、マイクロフォンユニット(２)が本体ユニット(１)に取り付けられた状態では、本体ユニット(１)の収容部(４)に留め具(３)が収容され、このため携帯型録音装置の外周面からは留め具(３)が突出することがない。よって、上記携帯型録音装置を鞄やポケットに収容した場合、鞄やポケット内で留め具(３)が周囲の物体に引っ掛かることがなく、従って上記携帯型録音装置は、鞄やポケットへの収容が容易であり、又、マイクロフォンユニット(２)が本体ユニット(１)から脱落し難い。
【００３０】
更に、上記携帯型録音装置においては、マイクロフォンユニット(２)の対向部(20)に留め具(３)が配備されているので、マイクロフォンユニット(２)を本体ユニット(１)から取り外した状態で一定の位置に設置する際に、携帯型録音装置とは別の部品を用意する必要がなく、又、その部品を携帯する必要もない。従って、上記携帯型録音装置によれば、その使用の不便さが低減されることになる。
【００３１】
図９は、上記携帯型録音装置の第１変形例について、本体ユニット(１)からマイクロフォンユニット(２)を取り外した状態を、本体ユニット(１)の下端部側から見た斜視図である。図９に示す様に、マイクロフォンユニット(２)の対向部(20)には、マイクロフォンユニット(２)を本体ユニット(１)から取り外した状態で机上等の一定の位置に載置するためのスタンド(６)が配備されていてもよい。この構成においては、本体ユニット(１)にマイクロフォンユニット(２)を取り付けたとき、スタンド(６)が本体ユニット(１)の収容部(４)に収容されることになる。
【００３２】
ここで、スタンド(６)は、マイクロフォンユニット(２)の対向部(20)の表面の内、マイクロフォンユニット(２)が本体ユニット(１)に取り付けられた状態で本体ユニット(１)の対向部(10)と対向する対向面(201)に、該対向面(201)に対して略垂直な枢軸により枢支されると共に、マイクロフォンユニット(２)の対向面(201)に沿って該対向面(201)の短手方向(91)の長さ寸法Ｌよりも長く延びている。
【００３３】
第１変形例に係る携帯型録音装置によれば、上述した携帯型録音装置と同様、鞄やポケットへの収容が容易となり、且つその使用の不便さが低減されることになる。又、図１０に示す如くスタンド(６)を回動させてスタンド(６)の延在方向(92)をマイクロフォンユニット(２)の対向面(201)の短手方向(91)に向け、その状態でマイクロフォンユニット(２)を机上等の一定の位置に載置することにより、マイクロフォンユニット(２)は、その対向面(201)の短手方向(91)に倒れ難くなり、その結果、マイクロフォンユニット(２)の載置状態が安定することになる。
【００３４】
更に、第１変形例に係る携帯型録音装置において、図９に示す様に、マイクロフォンユニット(２)の対向部(20)には、スタンド(６)の左右に、該スタンド(６)の高さ寸法と略同一の高さ寸法を有する脚部(61)(61)が配備されていてもよい。この構成によれば、マイクロフォンユニット(２)の載置状態がより安定することになる。
【００３５】
図１１は、上記携帯型録音装置の第２変形例を示した斜視図である。図１１に示す様に、上記第１変形例に係る携帯型録音装置において、マイクロフォンユニット(２)にカメラ(22)が配備されていてもよい。勿論、図１〜図５に示す携帯型録音装置において、マイクロフォンユニット(２)にカメラ(22)が配備されていてもよい。
【００３６】
第２変形例に係る携帯型録音装置においては、マイクロフォンユニット(２)を本体ユニット(１)から取り外した状態で一定の位置に設置することにより、該一定の位置から離れた位置からでも、該一定の位置近傍の画像と音声とをカメラとマイクロフォンとによって鮮明に捉え、該画像と音声とを本体ユニット(１)内の記録媒体に記録することが出来る。
【００３７】
尚、本発明の各部構成は上記実施の形態に限らず、特許請求の範囲に記載の技術的範囲内で種々の変形が可能である。例えば、本体ユニット(１)とマイクロフォンユニット(２)との通信は、無線に限らず有線で一方向又は双方向に行うことも可能である。又、マイクロフォンユニット(２)が本体ユニット(１)に取り付けられた状態ではユニット(１)(２)間の通信を有線で行い、マイクロフォンユニット(２)が本体ユニット(１)から取り外された状態ではユニット(１)(２)間の通信を無線で行うことも可能である。
【００３８】
上述した携帯型録音装置においては、収容部(４)が、該収容部(４)を構成する側面壁により包囲されている。このため、本体ユニット(１)にマイクロフォンユニット(２)を取り付けた状態では、留め具(３)を携帯型録音装置の外部から視認することが出来ない。しかし、本発明はこの構成に限られるものではない。例えば、収容部(４)を構成する側面壁には、その一部の領域に窓が形成されていてもよい。この構成によれば、本体ユニット(１)にマイクロフォンユニット(２)を取り付けた状態でも、留め具(３)を携帯型録音装置の外部から視認することが可能になる。
【００３９】
マイクロフォンユニット(２)の対向部(20)には、留め具(３)とスタンド(６)の両機能を有する補助具が配備されていてもよい。又、マイクロフォンユニット(２)の対向部(20)には、留め具(３)やスタンド(６)に限らず、吸盤、ストラップの様な紐状部材等、種々の補助具が配備されていてもよい。又、これらの補助具は、マイクロフォンユニット(２)の対向部(20)に固定されていてもよいし、或いは、着脱可能に取り付けられていてもよい。
【００４０】
又、電気的な構成として、本体ユニット(１)からマイクロフォンユニット(２)が取り外された時点で、携帯型録音装置の動作モードを自動的に録音モードに設定する構成、本体ユニット(１)内のバッテリの充電と同時にマイクロフォンユニット(２)内のバッテリを充電する構成、本体ユニット(１)からマイクロフォンユニット(２)を取り外した状態で録音が開始される場合、録音の開始を、マイクロフォンユニット(２)に設けたＬＥＤの点灯やマイクロフォンからの音声出力により報知する構成、本体ユニット(１)からマイクロフォンユニット(２)を取り外した状態で録音が行われた場合に一定時間で録音を強制的に停止させる構成、本体ユニット(１)側の操作によってマイクロフォンユニット(２)に設けたＬＥＤを点灯させる構成等、種々の構成を採用することが出来る。
【００４１】
本発明は、携帯型録音装置に限らず、第１ユニットと、第１ユニットに着脱可能に取り付けられる第２ユニットとを具えた種々の電子機器に実施することが可能である。ここで、第２ユニットは、マイクロフォンユニット(２)及び／又はカメラ(22)等、情報を取得するための情報取得ユニットであってもよいし、スピーカユニットや液晶表示装置等、情報を出力するための情報出力ユニットであってもよい。又、第２ユニットは、リモートコントローラ等、制御信号を出力するための制御信号出力ユニットであってもよい。
【００４２】
又、電子機器が、磁気の影響を受け難い第１ユニットと第２ユニットとから構成されたものである場合、補助具に磁性体から形成されたものを採用し、収容部(４)内に、補助具を磁気吸引する磁石を設けることにより、第１ユニットと第２ユニットとを着脱可能に連結する連結機構が構成されていてもよい。
【符号の説明】
【００４３】
(１)  本体ユニット（第１ユニット）
(10)  対向部
(11)  タッチ入力型表示部
(２)  マイクロフォンユニット（第２ユニット）
(20)  対向部
(201) 対向面
(21)  受音部
(22)  カメラ
(３)  留め具（補助具）
(４)  収容部
(５)  連結機構
(50)  貫通孔
(51)  リブ
(52)  押し子
(53)  係合部
(54)  係合受け部
(６)  スタンド（補助具）
(91)  短手方向
(92)  延在方向
【図１】
2011228995.tif 000003
【図２】
2011228995.tif 000004
【図３】
2011228995.tif 000005
【図４】
2011228995.tif 000006
【図５】
2011228995.tif 000007
【図６】
2011228995.tif 000008
【図７】
2011228995.tif 000009
【図８】
2011228995.tif 000010
【図９】
2011228995.tif 000011
【図１０】
2011228995.tif 000012
【図１１】
2011228995.tif 000013